(57)【要約】 【課題】  容器本体の取出口とともに蓋体に取出口となる開口を設けることによって、収納物の所望する取出量に応じて、二つの取出口を簡単に使い分けることができるとともに、蓋体に設けた収納室から捨て紙等も簡単に取り出すことができるようにした容器を提供すること。【解決手段】  容器本体と蓋本体と、蓋本体に装着された上蓋とからなる容器であって、蓋本体は、容器本体に装着される装着部と、装着部にヒンジを介して連設された蓋体とからなり、蓋体は、中央部に凹部を形成した頂壁と、側周壁を具え、凹部は、開口を穿設した段差部と傾斜壁、および側壁と後端の湾曲側壁とを具えており、側壁の中央部に位置して軸ピンが配設され、上蓋の所定位置に、軸ピンと係合する軸受が配設され、上蓋は、廻動可能とされ、段差部に設けた開口を開閉するようにしたことを特徴とする。【選択図】  図１
2010202215.tif 000002
【特許請求の範囲】
【請求項１】
容器本体と蓋本体と、蓋本体に装着された上蓋とからなる容器であって、
蓋本体は、容器本体に装着される装着部と、装着部にヒンジを介して連設された蓋体とからなり、
蓋体は、中央部に凹部を形成した頂壁と、側周壁を具え、
凹部は、開口を穿設した段差部と傾斜壁、および側壁と後端の湾曲側壁とを具えており、
側壁の中央部に位置して軸ピンが配設され、
上蓋の所定位置に、軸ピンと係合する軸受が配設され、
上蓋は、廻動可能とされ、段差部に設けた開口を開閉するようにしたことを特徴とする二つの取出口を設けた容器。
【請求項２】
蓋本体の蓋体開口の両側を直線部とし、
上蓋の下面に直線部と係合する一対の係合片を垂設されていることを特徴とする請求項１記載の容器。
【請求項３】
傾斜壁の内方に、収納凹部が凹設されていることを特徴とする請求項１または２記載の容器。
【請求項４】
上蓋は、切込みにより、基部と開閉蓋とに区画されていることを特徴とする請求項１〜３のいずれかに記載の容器。
【請求項５】
基部と開閉蓋との連設部は、弱化部により折曲げ可能に形成されていることを特徴とする請求項４記載の容器。
【請求項６】
基部の切込みの下端部側面に、係合突部が配設され、
開閉蓋の切込みの下端部側面に、係合突部と係合し開閉蓋のみの押し下げを防止する係合凹部が配設されていることを特徴とする請求項５記載の容器。  
【発明の詳細な説明】
【技術分野】
【０００１】
本発明は、ガム等の食品などを収納するとともに、捨て紙等の収納部を有する食品用容器、とくに、収納物の取出口を大小二つ設けた容器に関するものである。
【背景技術】
【０００２】
ガム、その他の食品などの収納物を収納するとともに、捨て紙等を収納した容器において、衛生上の  題により、収納物と捨て紙等とを別々に収納するため、容器本体内に収納物を収納し、容器本体を閉蓋する蓋体に捨て紙等の収納室を設けた食品用容器は、従来より知られている（例えば、特許文献１参照）。
【先行技術文献】
【特許文献】
【０００３】
【特許文献１】特開２００５−３０６４５２
【発明の概要】
【発明が解決しようとする課題】
【０００４】
しかしながら、上記特許文献１記載の従来技術では、容器本体の開口が収納物の取出口となるので、少量の内容物を取り出す場合には、開口から手指を入れてつかみ出すことになり、不衛生であるという問題があった。
また、所望する適量の内容物だけを取り出すことも容易でなかった。
【０００５】
本発明は、上記問題を解決することを課題とし、容器本体の取出口とともに蓋体に取出口となる開口を設けることによって、収納物の所望する取出量に応じて、二つの取出口を簡単に使い分けることができるとともに、蓋体に設けた収納室から捨て紙等も簡単に取り出すことができるようにした容器を提供することを目的とする。
【課題を解決するための手段】
【０００６】
本発明は、上記の課題を解決するため、二つの取出口を設けた容器として、容器本体と蓋本体と、蓋本体に装着された上蓋とからなる容器であって、蓋本体は、容器本体に装着される装着部と、装着部にヒンジを介して連設された蓋体とからなり、蓋体は、中央部に凹部を形成した頂壁と、側周壁を具え、凹部は、開口を穿設した段差部と傾斜壁、および側壁と後端の湾曲側壁とを具えており、側壁の中央部に位置して軸ピンが配設され、上蓋の所定位置に、軸ピンと係合する軸受が配設され、上蓋は、廻動可能とされ、段差部に設けた開口を開閉するようにしたことを特徴とする構成を採用する。
【０００７】
蓋本体、上蓋の実施例として、蓋本体の蓋体開口の両側を直線部とし、上蓋の下面に直線部と係合する一対の係合片を垂設されていることを特徴とする構成、或いは傾斜壁の内方に、収納凹部が凹設されていることを特徴とする構成を採用する。
【０００８】
上蓋の実施例として、上蓋は、切込みにより、基部と開閉蓋とに区画されていることを特徴とする構成、さらにまた、上記構成に、基部と開閉蓋との連設部は、弱化部により折曲げ可能に形成されていることを特徴とする構成を付加する。
【０００９】
さらにまた、上記構成に、基部の切込みの下端部側面に、係合突部が配設され、開閉蓋の切込みの下端部側面に、係合突部と係合し開閉蓋のみの押し下げを防止する係合凹部が配設されていることを特徴とする構成を付加する。  
【発明の効果】
【００１０】
容器本体と蓋本体と、蓋本体に装着される上蓋とからなる容器において、蓋本体は、容器本体に装着される装着部と、装着部にヒンジを介して連設され、装着部と開閉蓋する蓋体とからなり、蓋体の頂壁に、開口が穿設された段差部と、傾斜底壁を具えた凹部を設け、上蓋は、廻動可能として蓋体に装着され、蓋体の開口を開閉することによって、容器口部、または、蓋体の開口を取出口として、収納物の取出量により、二つの取出口を簡単に使い分けて使用することができる。
また、蓋体の傾斜底壁の中央に収納凹部を設け、収納凹部に捨て紙等を収納し、上蓋の一部を開閉蓋とすることによって、蓋体から捨て紙等も簡単に取り出して使用することができる。
【図面の簡単な説明】
【００１１】
【図１】本発明容器の断面立面図である。
【図２】蓋本体と上蓋の説明図で、（ａ）は上面図、（ｂ）は蓋本体と上蓋の分解断面立面図である
【図３】容器の上蓋開蓋状態の説明図で、（ａ）は断面立面図、（ｂ）は正面図である。
【図４】容器の上蓋の開閉蓋開蓋状態の断面立面図である。
【図５】容器の蓋本体開蓋時の断面立面図である。
【図６】容器の別実施例の説明図で、（ａ）は上蓋閉蓋状態の断面立面図、（ｂ）は上蓋開蓋状態の断面立面図である。
【発明を実施するための形態】
【００１２】
次に、本発明容器の実施形態について、図面を参照して説明する。
図１において、Ａは容器本体、Ｂは蓋本体、Ｃは蓋本体Ｂの上部に廻動可能に装着さた上蓋、Ｄは蓋本体Ｂ内に収納された捨て紙である。
【００１３】
容器本体Ａは、上端を蓋本体Ｂを装着する口部１とした胴部２と底部３とからなっており、収納物として、ガム、あめ、その他の食品が収納される。
【００１４】
蓋本体Ｂは、図１、２に示すように、容器本体Ａに装着される装着部Ｂ１と、装着部Ｂ１にヒンジＢ２を介して連設される蓋体Ｂ３とからなっている。
【００１５】
装着部Ｂ１は、内筒５と、内筒５の外周に連設されるリング状の上壁６と、上壁６外縁に垂設され、内周が容器本体Ａの口部１と係合する係合外筒７とからなり、上壁６外縁の所定位置には、ヒンジＢ２が連設されている。
内筒５の下部外周と係合外筒７内周は、容器本体Ａの口部１を挟み込むとともに、係合外筒７が口部１外周に設けた膨出部と係合して、容器本体Ａに蓋本体Ｂを装着させるようにしている。
【００１６】
蓋体Ｂ３は、中央部を凹部８とした頂壁９と、頂壁９周縁から円弧状に延びて連設される側周壁１０と、頂壁９周縁部の下面に垂設され、外周下部が装着部Ｂ１の内筒５の内周に挿入される係合筒１１とからなっており、側周壁１０の外周下端の所定位置には、ヒンジＢ２が連設されている。
【００１７】
凹部８は、中心線ａ−ａを含む中央部の両側方を切裁した円形に形成されており、中央部からヒンジＢ２反対側の前方は、開口１２を穿設した段差部１３となっており、ヒンジＢ２側後方には、段差部１３から後方に続く円弧状底壁１４が形成されている。
円弧状底壁１４よりヒンジＢ２側には、側壁１５ａ、１５ｂが設けられ、ヒンジＢ２側後端部は、弧状の湾曲側壁１６となっている。
【００１８】
前記円弧状底壁１４に続いて、その端部から下方に傾斜して延び、側壁１５ａ、１５ｂより一定巾を有する傾斜壁１７が設けられており、傾斜壁１７の内側には、前後左右の側周壁１８と底壁１９とからなる捨て紙Ｄの収納凹部２０が形成されている。
【００１９】
前記開口１２は、段差部１３の中央部に穿設され、前方の端縁１２ａと、直線状の側端縁１２ｂによって形成されており、側壁１５の中心線ａ−ａの部分に位置して軸ピン２１が突設されている。
【００２０】
前記側周壁１０は、下端面が装着部Ｂ１の上壁６上面に当接するとともに、内周下部が内筒５の上部外周に係合し、蓋体Ｂ３が装着部Ｂ１に対して閉蓋するように形成されており、外周のヒンジＢ２の反対側には、つまみ２２が配設されている。
【００２１】
上蓋Ｃは、図２に示すように、蓋本体Ｂの蓋体Ｂ３の凹部８と同形で、廻動可能にされるとともに、閉蓋時に、上面が頂壁９上面と面一となる板状に形成され、基部Ｃ１と開閉蓋Ｃ２とからなっている。
【００２２】
基部Ｃ１は、段差部１３を覆う主板２３とヒンジＢ２側に延びる両側の側板２３ａとからなり、開閉蓋Ｃ２は、側板２３ａの内縁に穿設された切込み２４によって基部Ｃ１と区画され、基部Ｃ１と開閉蓋Ｃ２の連設部には、開閉蓋Ｃ２の連設部側下面に切欠け溝２５が刻設され、開閉蓋Ｃ２は上方に折曲げ可能となっている。            
開閉蓋Ｃ２のヒンジＢ２側の後端には、指掛け部２６が設けられている。  
【００２３】
基部Ｃ１の下面の前方には、外面が蓋体Ｂ３の段差部１３の開口１２の直線状の側端縁１２ｂ内縁と係合する係合片２７が両側に垂設されている。
基部Ｃ１の下面の中心線ａ−ａ部の両側端には、凹部８の側壁１５の軸ピン２１に係合する軸受２８が配設されている。
基部Ｃ１の両側板２３ａの切込み２４側下端部には、開閉蓋Ｃ２の下面に係合し、下方への廻動を阻止する係合突部２９が配設されている。
【００２４】
開閉蓋Ｃ２の側面下端部には、基部Ｃ１の係合突部２９と係合し、開閉蓋Ｃ２のみの押し下げを防止する係合凹部３０が配設されている。  
【００２５】
次に、本容器の使用態様と作用効果について説明する。
本容器は、まず、蓋本体Ｂの装着部Ｂ１と蓋体Ｂ３とを係合させ閉蓋させる。
次に、蓋体Ｂ３の凹部８の段差部１３の開口１２内方に、上蓋Ｃの基部Ｃ１の係合片２７を係合させながら、凹部８の軸ピン２１と基部Ｃ１の軸受２８を嵌合させ、蓋本体Ｂに上蓋Ｃを廻動自在に装着する。  
その際、上蓋Ｃの上面と蓋体Ｂ３の頂壁９上面を面一にするとともに、基部Ｃ１の前方下面が蓋体Ｂ３の段差部１３上面と当接し、開口１２が閉蓋される。
【００２６】
最後に、上蓋Ｃにより閉蓋した蓋本体Ｂを、ガム、あめ玉、その他の食品等の内容物を収納した容器本体Ａに装着する。
【００２７】
捨て紙Ｄは、上蓋Ｃを装着した後、基部Ｃ１に対して開閉蓋Ｃ２を閉蓋する以前に、蓋体Ｂ３の凹部８の収納凹部２０内に収納される。
また、捨て紙Ｄは、ガム等を食した後で捨てる場合には、捨て紙であるが、あめ玉等を食する場合には、手指を清拭するウェットティッシュ等などでもよい。
【００２８】
容器本体Ａ内の収容物をある程度少量使用する際には、上蓋Ｃの開閉蓋Ｃ２上面を指などで押下げる。
開閉蓋Ｃ２を押し下げると、基部Ｃ１の係合突部２９との係合により、上蓋Ｃの後方全体が押し下げられる。
【００２９】
蓋体Ｂ３に対して上蓋Ｃの後方を押下げることにより、蓋体Ｂ３の側壁１６の両方の軸ピン２１を軸として廻動し、上蓋Ｃの前方を持ち上げ、基部Ｃ１の前方下面と蓋体Ｂ３の段差部１３上面との当接が外れるとともに、開口１２が開蓋されていく。
【００３０】
その際、蓋体Ｂ３凹部８の後方が湾曲する湾曲側壁１６となっているので、廻動時に上蓋Ｃの後端縁は、湾曲側壁１６に当接しないようになっている。
【００３１】
さらに、上蓋Ｃの後方を押下げると、図３（ａ）に示すように、開閉蓋Ｃ２および基部Ｃ１の後方下面が、蓋体Ｂ３の段差部１３上面に当接して押下げが止められ、廻動も止まる。
【００３２】
上蓋Ｃの廻動が止められると、図３に示すように、蓋体Ｂ３の開口１２と、上蓋Ｃの基部Ｃ１下面に設けた二つの係合片２７の間を案内通路３１として開蓋状態になる。
最後に、容器を傾けていくと、開口１２から開蓋状態の案内通路３１を取出口として容器本体Ａ内の収容物を少量ずつ取り出すことができる。
【００３３】
閉蓋する際には、蓋体Ｂ３に対して上蓋Ｃの基部Ｃ１の前方の上面を、指などで押下げる。
蓋体Ｂ３側壁１５の両方の軸ピン２１を軸として廻動して上蓋Ｃの後方を持ち上げるとともに、基部Ｃ１の前方下面が蓋体Ｂ３の段差部１３上面と当接して、押下げが止められる。
すると、上蓋Ｃの上面と蓋体Ｂ３の頂壁９上面を面一にするとともに、開口１２を塞ぎ、閉蓋状態にできる。
【００３４】
捨て紙Ｄを使用する際には、上蓋Ｃの開閉蓋Ｃ２の指掛け部２７に指などを掛けて引張ると、係合凹部３０と基部Ｃ１の係合突部２９との係合が外れ、図４に示すように、切欠け溝２５をヒンジとして基部Ｃ１に対して開閉蓋Ｃ２が廻動し、開放状態になる。
開放状態の上蓋Ｃから、蓋体Ｂ３の収納凹部２０上の捨て紙Ｄを取り出して使用することができる。
【００３５】
捨て紙Ｄを取り出した後、閉蓋する際には、開閉蓋Ｃ２を指などで把持し、切欠け溝２５を支点に後方に廻動させると、開閉蓋Ｃ２下面の係合凹部３０が係合突部２９と係合され、閉蓋状態にできる。
【００３６】
容器本体Ａ内の収容物をある程度多量使用する際には、蓋本体Ｂの蓋体Ｂ３のつまみ２２を指などで押し上げ、蓋体Ｂ３を持ち上げる。
蓋体Ｂ３の持ち上げに応じて、ヒンジＢ２を支点に装着部Ｂ１に対して持ち上がり、装着部Ｂ１の内筒５と、蓋体Ｂ３の側周壁１０および係合筒１１との係合が外れ、図５に示すように、蓋体Ｂ３が開蓋される。
開蓋状態の装着部Ｂ１の内筒５を取出口として容器本体Ａ内の収容物を多量に取出すことができる。
【００３７】
閉蓋する際には、ヒンジＢ２を支点に蓋体Ｂ３を廻動させ、蓋体Ｂ３を装着部Ｂ１に係合させ、閉蓋する。
【００３８】
本容器は、広さの異なる二つの取出口を設けたので、使用する量に応じて簡単に取出口を使い分けることができる。
また、二つの取出口の開蓋方法が異なることにより、間違って違う取出口を開蓋して使用してしまうことを防止することができる。
さらに、捨て紙等の収納部を容器内に設けているので、容器の使用中に捨て紙等をなくしてしまうことを防止することができる。
【００３９】
上記実施形態では、蓋体Ｂ３の凹部８の両側の側壁１５に軸ピン２１を設け、上蓋Ｃの基部Ｃ１の下面両側に軸受２８を設けて、上蓋Ｃを蓋体Ｂ３に軸廻動可能に装着したが、蓋体Ｂ３の側壁１５に軸受を設け、上蓋Ｃの基部Ｃ１の両側に軸ピンを設けるようにしてもよい。
上蓋Ｃを蓋体Ｂ３との装着方法は、上記実施形態に限定されない。
【００４０】
上記実施形態では、蓋体Ｂ３の傾斜壁１７に収納凹部２０を凹設するとともに、上蓋Ｃに開閉蓋Ｃ２を設け、捨て紙Ｄを容器内に収納して使用するようにしているが、捨て紙Ｄを容器内に収納しない場合には、図６に示すように、傾斜壁１７に収納凹部２０を設けないで、傾斜壁１７を傾斜底壁として形成し、上蓋Ｃに開閉蓋Ｃ２を設けなくてもよい。
【産業上の利用可能性】
【００４１】
本発明の容器は、広さの異なる二つの取出口を形成し、使用する量に応じて簡単に取出口を使い分けることができる食品用容器として広く利用することができる。
さらに、捨て紙等をキャップ内に収納し、上蓋の一部を開口することによって捨て紙等を取り出すことができるようにしたので、簡単に、かつ衛生的に使用することができる  
また、収納物を粉末状の薬品とし、捨て紙等をオブラートなどの包んで食用可能なものとすることで、一つの容器で粉末状の薬品を包んで使用することのできる薬品用容器としても、広く利用することができる。
【符号の説明】
【００４２】
Ａ          容器本体
Ｂ          蓋本体
Ｂ１        装着部
Ｂ２        ヒンジ
Ｂ３        蓋体
Ｃ          上蓋
Ｃ１        基部
Ｃ２        開閉蓋
Ｄ          捨て紙
ａ-a        中心線
１          口部
２          胴部
３          底部
５          内筒
６          上壁
７          係合外筒
８          凹部
９          頂壁
１０        側周壁
１１        係合筒
１２        開口  
１２ａ      端縁
１２ｂ      側端縁
１３        段差部
１４        円弧状底壁
１５ａ，ｂ  側壁
１６        湾曲側壁
１７        傾斜壁
１８        側周壁
１９        底壁
２０        収納凹部
２１        軸ピン
２２        つまみ
２３        主板
２３ａ      側板
２４        切込み
２５        切欠け溝
２６        指掛け部
２７        係合片
２８        軸受
２９        係合突部
３０        係合凹部
３１        案内通路
【図１】
2010202215.tif 000003
【図２】
2010202215.tif 000004
【図３】
2010202215.tif 000005
【図４】
2010202215.tif 000006
【図５】
2010202215.tif 000007
【図６】
2010202215.tif 000008